(57)【特許請求の範囲】
【請求項１】
前部キャスター及び後部キャスターを有し、座部及び該座部の後部に背もたれを有する車椅子であって、
前記車椅子に着脱自在に軸着される車軸で連結された大径の主車輪と、
回動可能に前記車椅子に取り付けられた車軸上部挟持部と、
前記車軸上部挟持部と協働して前記車軸を上下から挟持するための車軸下部挟持部と、を備え、
前記車軸上部挟持部は、前記車軸を内挿可能な開口を有し、回動操作によって前記前記車軸上部挟持部及び前記車軸下部挟持部を開閉可能であり、
前記車軸上部挟持部及び前記車軸下部挟持部が開いて前記主車輪が前記車椅子に対して着脱自在な状態では、前記車軸上部挟持部の開口が車椅子の後方側に向いており、前記車軸上部挟持部及び前記車軸下部挟持部が閉じて前記主車輪が前記車椅子に着設された状態では、前記車軸上部挟持部の開口が前記車椅子の下方を向いていることを特徴とする車椅子。
【請求項２】
前記座部の両サイドにタックルブレーキを着設したアームレストを有し、
前記主車輪の前記車軸を前記車椅子から取り外した後、前記アームレストが前記背もたれの後部に折り畳み可能であることを特徴とする請求項１に記載の車椅子。
【請求項３】
前記アームレストが前記座部の下部に折り畳み可能であることを特徴とする請求項１に記載の車椅子。
【発明の詳細な説明】
【技術分野】
【０００１】
本願発明は、飛行機、列車等の座席の間の狭い通路を走行できる車椅子に関する。より詳しくは、飛行機、列車等の座席の間の狭い通路を走行できるように、車椅子の大径の主車輪を車軸で連結して着脱自在とし、狭い通路では大径の主車輪を外し、アームレストを折り畳んで車椅子の幅を狭くし、狭い通路を走行できるようにした車椅子に関する。
【背景技術】
【０００２】
車椅子の利用者は、乗り物に乗る際に入り口が広く、社内にも広いスペースのある電車等の場合は、駅員の介助の元で乗車することができる。しかし、飛行機や、新幹線のように、入り口も狭く、座席間の通路も狭い乗り物では、通常の車椅子は利用できず、介助者に多大な負担を掛けることになる。そのために、狭い通路でも走行できる車椅子が種々検討されている。
【０００３】
特許文献１の請求項１には「車輪着脱機構を介してフレームに着脱自在に軸支されるとともに常には走行面に接地する後輪と、前記フレーム下部に設けられ前記後輪を走行面から離隔した位置へ上昇可能なリフトアップ装置と、を備え、前記リフトアップ装置は、前端部が車椅子のフレーム下部に枢着されて揺動可能に設けられた支持アームと、前記支持アームの自由端部の下部に設けられたリフトアップ車輪と、ペダル部を有し上端部が前記フレーム下部に枢着された第１リンクバーと、下端部が前記支持アームの自由端部に枢着され上端部が前記第１リンクバー下端部に枢着された第２リンクバーと、前記支持アームを前記フレーム下部方向へ回動付勢するばねと、を備え、前記リフトアップ車輪が、前記フレーム下部に接近した非接地位置と走行面に接地した接地位置との間を昇降可能に形成され、該接地位置において前記フレームの高さ位置を上昇可能に形成されてなることを特徴とする車椅子。」が開示されている。
【０００４】
特許文献２の段落[０００５]の課題を解決するための手段には、「本発明は、座部、背も垂れ、アームレスト、フットレストを装着した台座及び台座に装着した小径車輪を設けた車椅子において、前記小径車輪より径が大きく、着脱自在の大径車輪とより構成する、車椅子装置である。また本発明は、前述した車椅子装置において、大径車輪の着脱を行うため、上面形状を傾斜部と水平部とで構成する二本のレールからなるスロープレールを備えたことを特徴とする、車椅子装置である。また本発明は、前述した車椅子装置において、リクライニング機構を有する背も垂れと、前記背も垂れの両側部に設けたレールをスライドする座部とを備えたことを特徴とする、車椅子装置である。さらに本発明は、前述したいずれかの車椅子装置において、台座に対して座部は、少なくとも９０度の平面回転を許容するよう構成したことを特徴とする、車椅子装置である。本発明は、前述したいずれかの車椅子装置の利用方法であって、大径車輪を着脱する場合、スロープレールに小径車輪を乗せ、大径車輪が床面に接触しない位置まで車椅子装置を登らせて大径車輪の着脱を行うことを特徴とする、車椅子装置の利用方法である。」と開示されている。
【０００５】
特許文献３の段落[０００７]の課題を解決するための手段には、「前記の課題を解決するため、請求項１の発明では、シート（座体）と、バックレスト（背もたれ）と、これらを支持する本体枠とを備えた車椅子において、本体枠の左右側部に、屋外用後輪（主輪）及びこれよりも小径の屋内用後輪の対と、屋外用後輪よりも小径の屋外用前輪及び屋内用前輪との対を、それら屋外用前後輪の群と屋内用前後輪の群とを選択的に使用できるように取り付けるという構成にした。」と記載され、
さらに段落[０００８]に、「請求項２の発明はより好適な態様であり、この発明は、請求項１において、前記屋外用後輪は本体枠に対して着脱自在である一方、前記屋外用前輪と屋内用前輪とは、左右横長の軸心回りに回動させ得る支持部材に取り付けられており、支持部材の姿勢を変えることによって屋外用前輪と屋内用前輪とを選択的に接地できるようになっている。」と開示されている。
【０００６】
上記のように、特許文献１では狭い場所でも走行できるように、大径の後輪を着脱自在にしたのに対し、特許文献２、及び３ではそれぞれ室内では屋外用の後輪を外して、屋外においては屋外用の後輪で走行できるように、後輪を着脱自在にした車椅子が開示されている。しかし、狭い通路を走行するためには、上記の車椅子でも十分ではなく、飛行機や列車の座席間等の狭い通路を走行できる車椅子の出現が望まれている。
【先行技術文献】
【特許文献】
【０００７】
【特許文献１】特許第３８１８６９９号公報
【特許文献２】特開平１１−１９７１９０号公報
【特許文献３】特開２００４−０７３５０９号公報
【発明の開示】
【発明が解決しようとする課題】
【０００８】
本願発明は、飛行機、列車等の座席の間の狭い通路を走行できる車椅子を提供するものである。より詳しくは、飛行機、列車等の座席の間の狭い通路を走行できるように、通常の車椅子の大径の主車輪を着脱自在にするとともに、座部の両側面に着設されたアームレストを折り畳んで、狭い通路でも走行できる車椅子を提供するものである。
【課題を解決するための手段】
【０００９】
本願発明は上記事実に鑑み、飛行機、列車等の座席の間の狭い通路を走行できるように、通常の車椅子の両側の大径の主車輪を車軸で連結して、着脱自在にする車椅子とした。
【００１０】
本発明は、前部キャスター及び後部キャスターを有し、座部及び該座部の後部に背もたれを有する車椅子であって、前記車椅子に着脱自在に軸着される車軸で連結された大径の主車輪と、回動可能に前記車椅子に取り付けられた車軸上部挟持部と、前記車軸上部挟持部と協働して前記車軸を上下から挟持するための車軸下部挟持部と、を備え、前記車軸上部挟持部は、前記車軸を内挿可能な開口を有し、回動操作によって前記前記車軸上部挟持部及び前記車軸下部挟持部を開閉可能であり、前記車軸上部挟持部及び前記車軸下部挟持部が開いて前記主車輪が前記車椅子に対して着脱自在な状態では、前記車軸上部挟持部の開口が車椅子の後方側に向いており、前記車軸上部挟持部及び前記車軸下部挟持部が閉じて前記主車輪が前記車椅子に着設された状態では、前記車軸上部挟持部の開口が前記車椅子の下方を向いていることを特徴とする。大径の主車輪を取り外すと、座部の両側に着設されたアームレストのフレームが回動可能となる。さらなる別の特徴として、アームレストを回動させることにより、車椅子の幅がさらに狭くなって、新幹線、航空機等の通路を介助者により容易に通行することができる。
【００１１】
本発明の別の特徴は、前記同様に車軸を取り外すと車軸に連結された左右の大径の主車輪が取り外されると共に、前記アームレストが車椅子の背もたれの後方に折り畳み可能となる車椅子である。大径の主車輪を取り外すと、座部の両側に着設されたアームレストのフレームが回動可能となり、アームレストを背もたれの後方に回動させることにより、車椅子の幅がさらに狭くなって、新幹線、航空機の通路を介助者により容易に通行することができる。
【００１２】
本発明の別の特徴は、前記同様に車軸を取り外すと車軸に連結された左右の大径の主車輪が取り外されると共に、前記アームレストが車椅子の座部の下側に折り畳み可能となる車椅子である。大径の主車輪を取り外すと、座部の両側に着設されたアームレストのフレームが座部の下側に回動可能となり、アームレストを座部の下に回動させることにより、車椅子の幅がさらに狭くなって、新幹線、航空機の通路を介助者により容易に通行することができる。
【発明の効果】
【００１３】
本発明の車軸で連結された脱着自在の主車輪を有する車椅子は、大径の主車輪を取り外すと、座部の両側に着設されたアームレストのフレームが回動可能となる。
【図面の簡単な説明】
【００１４】
【図１】図１の（Ａ）は、本願発明の車椅子の側面図を示す。（Ｂ）は本願発明の車椅子をリフトアップしたの背面図を示す。（Ｃ）は、車軸で連結された大径の車輪を示す。
【図２】図２（Ａ）は、車軸で連結された大径の車輪が軸止された状態を示す。図２（Ｂ）は、車軸で連結された大径の車輪を軸止め部から取り外し可能となった状態を示す。
【図３】図３（Ａ）は大径の主車輪を外した車椅子のアームレストを背もたれの後方に折り畳んだ背面図を示す。図３（Ｂ）は大径の主車輪を外した車椅子のアームレストを背もたれの後方に折り畳んだ側面図を示す。
【図４】図４（Ａ）は大径の主車輪を外した車椅子のアームレストを座部の下側に折り畳んだ正面図を示す。図４（Ｂ）は、大径の主車輪を外した車椅子のアームレストを座部の下側に折り畳んだ側面図を示す。
【発明を実施するための形態】
【００１５】
以下に図面を用いて本発明の実施の態様についていくつかの好ましい形態を例示するが、特許請求の範囲に記載された発明の範囲を限定することは意図するものではない。
【実施例１】
【００１６】
図１（Ａ）に示すように、本願発明の車椅子は、車椅子の下部フレーム１６に回動自在の前部キャスター１１と後部に回動しない後部キャスター１２を着設し、座部１９と座部の後部に背もたれ２０と、座部１９の両サイドにタックルブレーキ２２を着設したアームレスト２１と前部フレーム１４にフットレスト２２を有する車椅子に、車軸２６で連結された大径の主車輪１３の前記車軸２６が着脱自在に軸着された車椅子である。該車椅子の後部に着設されたリフトアップレバー２４を上げると車軸狭持部２７、２８が開いて前記車軸２６が取り外し可能となる。車軸２６を取り外すと車軸２６の両側に軸着された大径の主車輪１３が取り外されると共に、前記アームレスト２１が折り畳み可能となる車椅子である。
【００１７】
図１（Ｂ）に示すように、本発明の車椅子は前部に回動可能な前部キャスター１１と、座部１９と座部の後部の背もたれフレーム１７に着設された背もたれ２０と、座部１９の両サイドにアームレスト２１とその両側にハンドリム１３ａを備えた大径の主車輪１３が車軸で連結されて着脱自在に軸着された車椅子の後部のリフトアップレバー２４部分を示している。図１（Ｂ）に示すように、リフトアップレバー２４は車椅子の後方に着設されており、介助者がリフトアップレバー２４を足で蹴り上げるか、手で持ち上げると上下の車軸狭持部２７、２８が開いて、車軸の脱抜を可能になるものである。
【００１８】
図１（Ｃ）は、車椅子の後部のリフトアップレバー２４を介助者が手で持ち上げるか、足で蹴り上げて上下の車軸狭持部２７、２８を開いて、車椅子から取り外した車軸で連結された左右の大径の主車輪１３を示している。
【００１９】
図２（Ａ）は、本発明の車椅子のリフトアップレバー２４の部分を示している。脱着可能な左右の主車輪１３は車軸２６で連結されており、車軸上部狭持部２７と車軸下部狭持部２８によって上下から挟むようにして狭持されている。車軸上部狭持部２７はリフトアップレバー２４に連結され、車軸狭持部２７、２８の開閉を行っている。
【００２０】
図２（Ｂ）は、後部キャスター１２に着設されたフットレバー２５を踏んで後部キャスター１２を固定し、リフトアップレバー２４を持ち上げると左右の車軸上部狭持部２７が回動して、車軸２４が脱抜可能となり、車軸２４に連結された左右の主車輪１３を取り外すことができる。
【実施例２】
【００２１】
図３（Ａ）は、大径の主車輪１３を取り外した車椅子１００のアームレスト２１を背もたれ２０の後方に折り畳んだ側面図を示している。アームレスト２１にはタックルブレーキ２２が着設されており、タックルブレーキ２２もアームレスト２１と共に後方に収納される。このようにアームレスト２１を後方に折り畳むと、本発明の車椅子１００の横幅は４００ｍｍとなり、航空機や新幹線等の列車の座席の間の狭い通路を介助者により容易に走行することができる。大径の主車輪を取り外した後の車椅子の横幅は前記の幅に限定されるものではなく、航空機や新幹線等の列車の座席の間の狭い通路を走行できる幅、例えば、３５０ｍｍ〜４５０ｍｍの幅が望ましい。
【００２２】
図３（Ｂ）は、前部に回動自在のキャスター１１と後部の回動しない後部キャスター１２を有し、座部１９と座部の後部に背もたれ２０と、座部の両サイドにアームレスト２１を有する車椅子の側面図を示す。本願発明の車椅子１００は車軸２６で連結された大径の主車輪１３は車軸上部狭持部２７と車軸下部狭持部２８により狭持されている。左右の車軸上部狭持部２７に連結されたリフトアップレバー２４を持ち上げると左右の車軸上部狭持部２７が回動して前記車軸２６が取り外し可能となり、車軸２６を取り外すことによって車軸に連結された左右の大径の主車輪１３が取り外される。左右の大径の主車輪１３が取り外されると、左右のアームレスト２１は、アームレスト２１の軸着部２１ａから回動可能となり、車椅子の背もたれ２０の後部に折り畳むことができる車椅子１００である。
【実施例３】
【００２３】
図４（Ａ）は、大径の主車輪１３を外した車椅子２００のアームレスト２１を車椅子の下に折り畳んだ正面図を示している。アームレスト２１にはタックルブレーキ２２が着設されており、タックルブレーキ２２もアームレスト２１と共に車椅子の座部１９の下部に収納される。このような状態で本願発明の車椅子２００の横幅は４００ｍｍとなり、航空機や新幹線等の列車の座席の間の狭い通路を介助者により容易に走行することができる。大径の主車輪１３を取り外した後の車椅子２００の横幅は前記の幅に限定されるものではなく、航空機や新幹線等の列車の座席の間の狭い通路を走行できる幅、例えば、３５０ｍｍ〜４５０ｍｍの幅が望ましい。
【００２４】
図４（Ｂ）は、前部に回動自在のキャスター１１と後部に回動しない後部キャスター１２を有し、座部１９と座部の後部に背もたれ２０と、座部の両サイドにアームレスト２１を有する車椅子２００の側面図を示す。本発明の車椅子２００は車軸２６で連結された大径の主車輪１３は車軸上部狭持部２７と車軸下部狭持部２８により狭持されている。左右の車軸上部狭持部２７に連結されたリフトアップレバー２４を持ち上げると左右の車軸上部狭持部２７が回動して前記車軸２６が取り外し可能となり、車軸２６を取り外すことによって車軸に連結された左右の大径の主車輪１３が取り外される。左右の大径の主車輪１３が取り外されると、左右のアームレスト２１は、アームレスト２１の軸着部２１ａから回動可能となり、車椅子の座部１９の下に折り畳むことができる車椅子２００である。
【符号の説明】
【００２５】
１００：脱着可能な大径の主車輪を有する車椅子のアームレストを背もたれの後方に折り畳み可能な車椅子。
２００：脱着可能な大径の主車輪を有する車椅子のアームレストを座部の下側に折り畳み可能な車椅子。
１１：回動可能な前部キャスター
１２：後部キャスター
１３：大径の主車輪
１４：前部フレーム
１５：上部フレーム
１６：下部フレーム
１７：背もたれフレーム
１８：グリップ
１９：座部
２０：背もたれ
２１：アームレスト
２２：タックルブレーキ
２３：フットレスト
２４：リフトアップレバー
２５：フットレバー
２６：車軸
２７：車軸上部狭持部
２８：車軸下部狭持部
【図１】
0005829813.tif 000002
【図２】
0005829813.tif 000003
【図３】
0005829813.tif 000004
【図４】
0005829813.tif 000005